(57)【要約】      （修正有）【課題】来店者が、キャリーケースなどのケース商品と適合する小物商品を容易に選べるように、小物商品をケース商品と一体に展示できるディスプレイボックスを提供する。【解決手段】ディスプレイボックス１の上方に、小物商品を入れるための開口２を設け、背板３の内壁に商品説明を記したポップ体を起立状態に保持するポップ支持部３ａを設けた。さらに、ディスプレイボックスの底部５を、柔軟性を有する素材で形成することで、このディスプレイボックスがキャリーケースなどのケース体上に置かれたときに、シェルの合わせ目などの凹凸にフィットするようにした。【選択図】図１
0003190693.tif 000002
【実用新案登録請求の範囲】
【請求項１】
上方が開口されたボックス体であって、該ボックス体の底面部が柔軟性を有していることを特徴とするディスプレイボックス。
【請求項２】
上記ボックス体を上記ボックス体の底面に対して垂直な面となるように折り畳むための折線部が設けられていることを特徴とする請求項１に記載のディスプレイボックス。
【請求項３】
上記ボックス体に、ポップ体を起立状態に保持するポップ支持部が設けられていることを特徴とする請求項１に記載のディスプレイボックス。
【請求項４】
上記ボックス体が、キャリーケースやスーツケースなどのケース体に設けられたキャリーバーに固定できるように構成されていることを特徴とする請求項１に記載のディスプレイボックス。
【請求項５】
固定する手段として面ファスナを用いていることを特徴とする請求項４に記載のディスプレイボックス。
【考案の詳細な説明】
【技術分野】
【０００１】
本考案は、展示している商品に関連する小物を展示するためのディスプレイボックスに関し、詳しくは、展示商品と一体に展示できるように構成したディスプレイボックスに関する。
【背景技術】
【０００２】
従来、キャリーケースやスーツケースなどのケース商品に関連する小物商品、例えばケースベルトやケース収納用バッグなどは、上記ケース商品の本体に比して非常に小なる商品であるため、ケース商品とは別に、専用の展示棚などに収容して販売することが多い。
【０００３】
このため、どの小物商品が展示しているケース商品に適合するのかが、該小物商品を見ただけでは分かり難く、小物商品の商品タグなどに表示されている適合品を確認したり、また、商品タグなどに適合品が表示されていない場合は店員に尋ねたりと、選び出して購入するまでに相当な時間が掛かることが多々ある。
【先行技術文献】
【非特許文献】
【０００４】
【非特許文献１】実用新案登録第３１７９６０８号
【考案の概要】
【考案が解決しようとする課題】
【０００５】
本考案は、展示しているケース商品に適合する小物商品を、該ケース商品と一体に展示できるディスプレイボックスを提供できるようにし、来店者が、上記ケース商品と適合する小物商品を容易に選べるようにすることを目的とする。
【課題を解決するための手段】
【０００６】
本考案のディスプレイボックスは、上方が開口されたボックス体であって、該ボックス体の底面部が柔軟性を有していることを特徴とする。
【０００７】
また、上記ボックス体を上記ボックス体の底面に対して垂直な面となるように折り畳むための折線部が設けられていることを特徴とする。
【０００８】
また、上記ボックス体に、ポップ体を起立状態に保持するポップ支持部が設けられていることを特徴とする。
【０００９】
また、上記ボックス体が、キャリーケースやスーツケースなどのケース体に設けられたキャリーバーに固定できるように構成されていることを特徴とする。
【００１０】
さらに、固定する手段として面ファスナを用いていることを特徴とする。
【考案の効果】
【００１１】
本考案に係るディスプレイボックスによれば、該ディスプレイボックスの底面部を柔軟性を有する素材で形成し、キャリーバーが垂直方向になるように立て置き展示しているキャリーケースやスーツケースの、ケースの開口合わせ目によって凹凸があるケース本体上にディスプレイボックスを安定して載せ置きできるようにしているので、小物商品を収容したディスプレイボックスをケース商品と一体に展示でき、しかも、ディスプレイボックスをキャリーバーに簡単に固定できるようにしているので、来店者がディスプレイボックスに接触した場合でも落下する恐れがない。
【００１２】
また、ディスプレイボックスを立て置き展示しているキャリーケースやスーツケースのケース本体上に載せ置きするので、該ディスプレイボックス内の小物商品は来店者から一番見やすい位置に展示され、来店者サイドからみれば、自身が購入したケース商品に適合する物が一目瞭然に分かり、該小物商品を容易に選ぶことができ、そして、小物商品がケース商品と一体に展示されているので買い忘れることもない。また店サイドからみれば、来店者が購入し易い展示ができるので販売の促進にもつながる。
【図面の簡単な説明】
【００１３】
【図１】本考案に係るディスプレイボックスを示す斜視図。
【図２】ディスプレイボックスを背面側より見た斜視図。
【図３】ディスプレイボックスの一部拡大断面図。
【図４】ディスプレイボックスの使用例を示す図。
【図５】ディスプレイボックスの使用例を示す図。
【図６】ディスプレイボックスの使用例を示す図。
【図７】ディスプレイボックスを折り畳んだ状態の図。
【図８】他の形態のディスプレイボックスを示す図。
【考案を実施するための形態】
【００１４】
以下、本考案に係るディスプレイボックスの実施例を、添付図面に示す具体例に基づいて説明する。
【００１５】
図１は、本ディスプレイボックスを全面側から見た斜視図であり、ディスプレイボックス１は、上方に商品を入れるための開口２を有し、背板３の内壁には商品説明を記したポップ体（ポップ板）を差し込んで該ポップ体を起立状態に保持するポップ支持部３ａを有し（図６を参照）、また、側板４は外面に持ち手４ａを有すると共に、概ね中央から折り曲げるための折線部４ｂが設けられ（図７を参照）、そして、底部５は、キャリーケースやスーツケースなどのケース９のシェル合わせ目９ｂの凹凸（図４（ｂ）を参照）にもフィットするように、柔軟性を有する素材で形成している（図３を参照）。
【００１６】
図２は、ディスプレイボックスを背面側より見た斜視図で、ディスプレイボックス１の背板３の外側は、該ディスプレイボックス１をキャリーケースやスーツケースなどのケース９に設けられたキャリーバー９ａ（図４、図５を参照）に固定するための固定用布体６を設けている。
【００１７】
図３は、ディスプレイボックスの一部を拡大した断面図であり、背板３側を示し、図中の符号７、８は、背板３の外面および固定用布体６の内面にそれぞれ設けている面ファスナであり、背板３と固定用布体６の間に通したキャリーケースやスーツケースなどのケース９のキャリーバー９ａ（図４、図５を参照）を保持するために設けているものである。
【００１８】
図４、図５は、ディスプレイボックスの使用例を示している。図４（ａ）は、ディスプレイボックス１をキャリーケースやスーツケースなどのケース９にセットした通常の使用状態を示している。図４（ｂ）は、ケース９上においてディスプレイボックス１を折り畳んだ状態を示していて、ディスプレイボックス１に収容する小物商品がないときや、実施例の図は省略しているが未使用時に保管する場合などに折り畳めるようにしている。また、図５は、ディスプレイボックス１のセット状態を、該ディスプレイボックス１の背面側から見た図である。
【００１９】
そして、お客様がディスプレイボックス１の下のスーツケースを見るときには、ディスプレイボックス１の背板３の外面および固定用布体６の内面にそれぞれ設けている面ファスナ７，８の係合を解き、ディスプレイボックス１の持ち手４ａを持ってキャリーバー９ａの上方へ移動させれば、キャリーバー９ａから簡単に取り外すことができる。すなわち、本考案のディスプレイボックスは、両側の持ち手４ａを利用して即座に取り外すことができるという特徴を有するものである。
【００２０】
図８は、他の形態のディスプレイボックスを示す図である。図８（ａ）は、ディスプレイボックス１の開口２に開閉できる蓋１０を設けたもので（図中の符号１０ａ、１０ｂは、蓋１０を固定するための面ファスナ）であり、図８（ｂ）は、ディスプレイボックス１の開口２に柔軟性素材、例えば布１１を設けて、ファスナ１２で開閉できるようにしたものである。従って、ディスプレイボックス１をこのように構成すれば、本ディスプレイボックス１自体がケース商品に適合する小物商品になって、旅行中に、例えばキャリーケースやスーツケースなどを曳いて移動しているときなど、自身が携帯するカメラやサングラスなどの小物を置きたくても周囲に置けるような場所がないときにこのディスプレイボックス１が小物置きになり、しかも、蓋１０や布１１によって開口２の内部が外部から見えないので安心してディスプレイボックス１内に置いておくことができる。
【符号の説明】
【００２１】
１…ディスプレイボックス
２…開口
３…背板
３ａ…ポップ支持部
４…側板
４ａ…持ち手
４ｂ…折線部
５…底部
６…固定用布体
７…面ファスナ
８…面ファスナ
９…ケース
９ａ…キャリーバー
９ｂ…シェル合わせ目
１０…蓋
１０ａ…面ファスナ
１０ｂ…面ファスナ
１１…布
１２…ファスナ
【図１】
0003190693.tif 000003
【図２】
0003190693.tif 000004
【図３】
0003190693.tif 000005
【図４】
0003190693.tif 000006
【図５】
0003190693.tif 000007
【図６】
0003190693.tif 000008
【図７】
0003190693.tif 000009
【図８】
0003190693.tif 000010